(57)【要約】【課題】  リール照射用の光源がなくともリールの視認性に優れかつコンパクトな表示装置を提供する。【解決手段】  導光板及び光源を備えるバックライト並びに表示用筒体を有する表示装置であって、上記光源の少なくとも１つは、導光板の側方に配置され、上記導光板は、反射部を背面に有し、かつ、開口部を有し、上記表示装置は、表示用筒体が導光板の開口部に挿通されて表示面側に突出した部分を含み、かつ、表示用筒体の筒内に導光板の一部が配置された構造を有する表示装置である。【選択図】    図１
2007054257.tif 000002
【特許請求の範囲】
【請求項１】
導光板及び光源を備えるバックライト並びに表示用筒体を有する表示装置であって、
該光源の少なくとも一部は、導光板の側方に配置され、
該導光板は、開口部を有し、反射部を背面に有するものであり、
該表示装置は、表示用筒体が導光板の開口部に挿通されて表示面側に突出した構造を有し、かつ、表示用筒体の筒内に導光板の一部が配置された構造を有することを特徴とする表示装置。
【請求項２】
前記導光板は、表示用筒体の突出部分の後方に反射部を有することを特徴とする請求項１記載の表示装置。
【請求項３】
前記表示用筒体は、透明部材により形成されたものであることを特徴とする請求項１又は２記載の表示装置。
【請求項４】
前記表示用筒体は、円筒体であり、前記表示装置は、該円筒体の円筒軸を軸として表示用筒体を回転させることを特徴とする請求項１〜３のいずれかに記載の表示装置。
【請求項５】
前記表示用筒体は、内周及び／又は外周に凹凸部を有し、前記表示装置は、歯車によって表示用筒体を回転させることを特徴とする請求項１〜４のいずれかに記載の表示装置。
【請求項６】
前記光源は、更に表示用筒体の突出部分の後方に配置されることを特徴とする請求項１〜５のいずれかに記載の表示装置。
【請求項７】
前記導光板の側方に配置される光源は、表示用筒体の軸方向に配置されることを特徴とする請求項１〜６のいずれかに記載の表示装置。
【請求項８】
前記表示用筒体は、導光板の開口部に複数挿通されることを特徴とする請求項１〜７のいずれかに記載の表示装置。
【請求項９】
前記表示用筒体は、絵柄、文字及び数字の少なくとも１つが描画されたものであることを特徴とする請求項１〜８のいずれかに記載の表示装置。
【請求項１０】
請求項１〜９のいずれかに記載の表示装置の製造方法であって、
該製造方法は、面状体を導光板の開口部内に通してから両端を接続し、表示用筒体を形成する工程を含むことを特徴とする表示装置の製造方法。
【請求項１１】
請求項１〜９のいずれかに記載の表示装置を備えることを特徴とする回胴式遊技機用液晶表示装置。
【発明の詳細な説明】
【技術分野】
【０００１】
本発明は、表示装置に関する。より詳しくは、遊技機用液晶表示装置として好適な表示装置及びその製造方法、並びに、それらを用いて得られる回胴式遊技機用液晶表示装置に関するものである。
【背景技術】
【０００２】
近年、ディスプレイによる表示技術の発達にともなって、様々な形状・形態の表示装置が開発されている。例えば、回胴式遊技機（スロットマシン）等の遊技機においては、リール及びスイッチ類等の遊戯に直接関係する装置類に加えて、視覚特性を高めるためにリールの前方に表示装置が備えられたものが普及してきている。このような表示装置を備えた遊戯機においては、遊戯進行と連動して、様々な演出を表示装置によって行うことができ、遊戯者の興趣や興奮を高め、遊戯機としての機能が向上されることになる。このように、様々な形状・形態の表示装置は、種々の分野において注目され、検討されている。
【０００３】
一般に、スロットマシン等の遊技機用の表示装置としては、薄型で軽く、優れた画質性能を有する液晶表示装置が用いられる。この液晶表示装置は、液晶パネル等の他に、バックライト等の光の供給源を備えることによって、液晶画像表示を可能にしている。バックライトの方式としては、直下型バックライトとサイドライト型バックライトとがあるが、スロットマシン等の遊技機用の表示装置には、薄型化が可能なサイドライト型バックライトが一般的に用いられる。このようなサイドライト型バックライトは、主に、背面に反射部が形成された導光板及び光源等から構成される。そして、光源から発せられ、導光板内を進行してきた光を、反射部で表示画面側に反射させることによって、液晶パネルに光を供給する。
【０００４】
しかしながら、スロットマシン等の遊技機において、液晶表示装置をリールの前方に配置させた場合、リールは導光板の反射部で反射した光等に遮られ、視認性が悪化してしまう。そのため、リール表示領域においては、通常、導光板に反射部を形成せず、リール表示領域の反射光を減少させることによって、リールの視認性を確保している。しかしながら、このような形態の液晶表示装置においては、遊戯者は液晶パネル及び導光板等の遮蔽物越しにリールを見なければならず、リールが不鮮明で暗く見えるといった点で更に改善の余地があった。
【０００５】
そこで、リールをより明るく表示する方法として、リール内にリール照射用の光源を設ける技術が知られている（例えば、特許文献１、２参照）。これによれば、リール内に発光ダイオード（以下「ＬＥＤ」ともいう）等の光源を配置し、リールを内側から直接照射することができるため、リールの視認性は改善すると考えられる。しかしながら、新たに光源を多数設置しなければならず、コストや消費電力の点で未だ工夫の余地があった。
【０００６】
それに対して、表示装置を備えたスロットマシンにおいて、導光板等の遮蔽物に開口部を設ける技術が知られている（例えば、特許文献３〜６参照）。これによれば、遊戯者は導光板等の遮蔽物なしにリールを見ることができるので、リールの視認性は改善すると考えられる。しかしながら、リールを明るく表示するためには、やはりリール内や液晶表示装置の背面に別途リール照射用の光源を設置しなければならなかった。
【０００７】
また、回転ドラム（リール）の表示部分を高透過領域とし、更に、導光板から外方に照射される光を回転ドラム用の光源として利用する技術が開示されている（例えば、特許文献７、８参照）。しかしながら、遊戯者から見たときのリールの表示の鮮明さや明瞭さ等の表示品位は必ずしも満足できるものではなかった。
したがって、液晶パネルを有する遊技機用表示装置において、リール照射用の光源を用いることなく、優れたリールの視認性を得るためには、未だ改善の余地があった。
【特許文献１】特開２００２−１４３３７５号公報
【特許文献２】特開２００３−３３９９３５号公報
【特許文献３】特開２００４−１６６９６３号公報
【特許文献４】特開２００４−１６６９６４号公報
【特許文献５】特開２００５−１８５８２６号公報
【特許文献６】特開２００５−４６６４４号公報
【特許文献７】特開２００４−３２９６８７号公報
【特許文献８】特開２００４−３２９８５８号公報
【発明の開示】
【発明が解決しようとする課題】
【０００８】
本発明は、上記現状に鑑みてなされたものであり、リール照射用の光源がなくともリールの視認性に優れかつコンパクトな表示装置を提供することを目的とするものである。
【課題を解決するための手段】
【０００９】
本発明者らは、リール及び導光板を備えた表示装置について種々検討したところ、リールの配置形態に着目した。そして、リール（表示用筒体）が導光板の開口部に挿通されて表示面側に突出した構造を有し、かつ、リール（表示用筒体）の筒内に導光板の一部が配置された構造を有することにより、優れた視認性を確保しつつ、リール照射用の光源を削減できることを見いだし、上記課題をみごとに解決することができることに想到し、本発明に到達したものである。
【００１０】
すなわち、本発明は、導光板及び光源を備えるバックライト並びに表示用筒体を有する表示装置であって、上記光源の少なくとも一部は、導光板の側方に配置され、上記導光板は、開口部を有し、反射部を背面に有するものであり、上記表示装置は、表示用筒体が導光板の開口部に挿通されて表示面側に突出した構造を有し、かつ、表示用筒体の筒内に導光板の一部が配置された構造を有する表示装置である。
以下に本発明を詳述する。
【００１１】
本発明の表示装置は、導光板及び光源を備えるバックライト並びに表示用筒体を有するものである。なお、本発明の表示装置の構成としては、バックライト及び表示用筒体を必須として形成されるものである限り、その他の構成要素について特に限定されるものではない。
【００１２】
上記導光板は、開口部を有し、反射部を背面に有するものである。導光板は、光源から入射した光を反射部により反射させ、表示面側に面状に分散させて射出させるための光学部材である。導光板の形状及び材質等は、本発明の作用効果を奏するものであればよく、特に限定されるものではない。
上記反射部は、導光板中を進行してきた光を導光板外に射出させるためのものである。反射部の形態は、本発明の作用効果を奏するものであればよく、特に限定されるものではない。
【００１３】
上記光源の少なくとも一部は、導光板の側方に配置されている。光源としては、所望の発光を得ることができるものであれば特に限定されないが、線状光源が好ましい。線状光源は、複数平行に設けられてもよい。なお、線状光源は、点状光源を複数列状に配置した形態のものであってもよい。
このように、反射部を有する導光板の側面近傍に光源を設けることで、導光板に進入させた光を反射部によって反射させ、表示面側に効果的に射出することができる。その結果、バックライトの前方に液晶パネル等の表示パネルを設置した場合、表示パネル全面を効率よく照射することができる。すなわち、このようなバックライトは、サイドライト型バックライトとして好適に用いることができるものである。
【００１４】
上記表示用筒体は、表示媒体として機能し、本発明の利用者に、種々の情報を与えるものである。表示用筒体の材質及び大きさ等は、本発明の作用効果を奏するものであればよく、特に限定されるものではない。なお、本発明を回胴式遊技機用液晶表示装置に用いた場合には、表示用筒体はリールとも呼ばれる。
【００１５】
上記表示装置は、表示用筒体が導光板の開口部に挿通されて表示面側に突出した構造を有し、かつ、表示用筒体の筒内に導光板の一部が配置された構造を有するものである。すなわち、開口部で挟まれた部分の導光板が表示用筒体内に取り囲まれる格好で、表示用筒体が導光板の開口部に挿通されている。その結果、本発明の表示装置は、表示用筒体の一部が導光板よりも表示面側に突出した構造を持つ。
このような本発明の形態によれば、表示用筒体と視認者の間に、導光板や反射板等の遮蔽物がなくなるため、表示用筒体がより鮮明に見え、視認性が改善されるようになる。また、表示用筒体が導光板を貫通していることから、バックライトと表示用筒体を別個に配置した構造に比べて、よりコンパクトかつ省スペースな表示装置を提供することができる。またその結果として、バックライトの前方に表示パネルを設置した場合、表示用筒体と表示パネルが近くに配置されるため、より一体感のある演出効果が期待できる。
【００１６】
上記導光板の開口部の形状としては、本発明の作用効果を奏するものであれば特に限定されず、対向する長方形、台形及び楕円形等、並びに、略コの字型及び略Ｕ字型等が挙げられる。すなわち、本発明の表示装置は、対向する長方形、台形及び楕円形等の開口部が設けられた場合、開口部で挟まれた部分の導光板が表示用筒体内に配置された構造を有し、一方、略コの字型及び略Ｕ字型等の開口部が設けられた場合、大部分を開口部で囲まれた導光板の突起部分が表示用筒体内に配置された構造を有する。
【００１７】
上記導光板は、表示用筒体の突出部分の後方に反射部を有することが好ましい。このように、表示用筒体の周囲及び内側に反射部を備えた導光板が配置されていると、導光板側方の光源から導光板に進入した表示パネル照射用の光の一部を、表示用筒体照射用の光源として利用することができる。したがって、表示用筒体照射用の光源を新たに設置することなく、表示用筒体を明るく表示することができるので、低コスト、低消費電力な表示装置を実現することができる。
【００１８】
上記表示用筒体は、透明部材により形成されたものであることが好ましい。これにより、表示用筒体内の導光板からの反射光を透過させることができるので、表示用筒体を明瞭に見せることができる。なお、透明部材は、光を透過させるものであればよく、半透明であってもよい。透明部材の材質としては、特に限定されず、樹脂等が挙げられる。
また、上記表示用筒体は、円筒体であり、上記表示装置は、上記円筒体の円筒軸を軸として表示用筒体を回転させることが好ましい。これにより、表示用筒体の周囲全面を表示方向に露出することができるので、多様な表示パターンを提供することができる。
更に、上記表示用筒体は、内周及び／又は外周に凹凸部を有し、上記表示装置は、歯車によって表示用筒体を回転させることが好ましい。このように、円筒体に凹凸部を形成し、この凹凸部に対応したピッチを有する歯車を用いることによって、表示用筒体内に回転の障害物となるものを形成することなく、表示用筒体をバックライトに挿通させた状態で回転させることができる。なお、凹凸部を構成する溝及び突起の形状及び大きさ等は、特に限定されるものではない。
【００１９】
上記光源は、更に表示用筒体の突出部分の後方に配置されることが好ましい。このように、表示用筒体の後方に蛍光ランプやＬＥＤ等の光源を設置することで、表示用筒体をより鮮明に見せることができる。また、バックライトと異なるタイミングで表示用筒体を光らせることができるので、演出効果の向上が期待できる。
また、上記導光板の側方に配置される光源は、表示用筒体の軸方向に配置されることが好ましい。すなわち、表示用筒体で遮蔽されていない方向から導光板を照射することができる場所に光源を配置することで、表示用筒体に覆われた部分の導光板に効率良く光を入射させることができ、表示用筒体をより効果的に明るく見せることができる。
【００２０】
上記表示用筒体は、導光板の開口部に複数挿通されることが好ましい。これにより、各表示用筒体を個別に回転制御することで、より多様で複雑な表示を行うことができる。特に、表示用筒体を３個とした場合には、回胴式遊技機用リールとして好適である。
また、上記表示用筒体は、絵柄、文字及び数字の少なくとも１つが描画されたものであることが好ましく、各描画内容を工夫することで、表示装置としてより効果的な演出ができる。なお、描画方法としては、表示用筒体上に直接図柄を描画してもよいし、図柄が描画されたシート状の物体を表示用筒体に巻きつけて貼り付けてもよい。
【００２１】
本発明はまた、上記表示装置の製造方法であって、面状体を導光板の開口部内に通してから両端を接続し、表示用筒体を形成する工程を含む表示装置の製造方法でもある。
これにより、表示用筒体がバックライト内に挿通された形態の表示装置を容易に形成することができる。
表示用筒体の形成工程としては、開口部の形状を対向する長方形、台形及び楕円形等にした場合は、短冊状の平面板を導光板の一組の開口部に挿入後、環状に変形し、両端を接続してもよいし、略Ｃ字型の面板を同様に導光板の一組の開口部に挿入後、両端を接続してもよい。
また、開口部の形状を略コの字型や略Ｕ字型等にした場合は、予め円筒形にした表示用筒体を、開口部の隙間から大部分を開口部で囲まれた導光板の突起部分に通すことによって、本発明の表示装置を作製してもよい。
【００２２】
本発明はまた、上記表示装置を備えた回胴式遊技機用液晶表示装置でもある。本発明の表示装置は、表示用筒体がバックライトよりも前面に突出した構造を持ち、表示用筒体の視認性に優れているため、表示用筒体をリールとして用い、液晶パネルと併せて使用すれば、回胴式遊技機用液晶表示装置すなわちスロットマシン用液晶表示装置等に好適である。
なお、本発明は回胴式遊技機用液晶表示装置に限らず、パチンコ遊技機等のその他の遊技機用の表示装置としても利用できる。
【発明の効果】
【００２３】
本発明の表示装置によれば、表示用筒体が導光板の開口部に挿通され、導光板より表示面側に突出した構造を有するので、表示パネル用のバックライト光源からの光の一部を表示用筒体の照明に用いることができる。その結果、表示用筒体照射用に別途光源を設けない場合には、低コスト、低消費電力かつコンパクトであるとともに、視認性に優れた表示装置を提供することが可能となる。また、表示用筒体照明用に別途光源を設けた場合には、視認性に特に優れた表示装置を提供することができる。
【発明を実施するための最良の形態】
【００２４】
以下に、本発明の表示装置をスロットマシンに適用した実施例について、図面を参照して更に詳細に説明するが、本発明はこれらの実施例のみに限定されるものではない。
【００２５】
（実施例１）
図１（ａ）は、実施例１の表示装置の前面を示す斜視模式図であり、（ｂ）は背面を示す斜視模式図である。
図１に示すように、本実施例の表示装置は、１対の長方形の開口部４ａ及び４ｂを有する矩形状の導光板１、略同じ大きさである３つの円筒形のリール２ａ、２ｂ及び２ｃ、第一ベゼル５、並びに、導光板の開口部４ａ及び４ｂに対応する部分がくりぬかれた背面ベゼル７を備える。ここで、各リール２ａ、２ｂ及び２ｃは導光板１の前方に突出するように両開口部４ａ及び４ｂに挿通されており、導光板１に対して水平方向に同軸の回転軸を有して、導光板１の略中央部に並設されている。また、導光板１の背面側には、反射部３が形成されており、この反射部３は、各リール２ａ、２ｂ及び２ｃに覆われた導光板部分にも形成されている。更に、各リール２ａ、２ｂ及び２ｃには絵柄、文字及び数字等の図柄が列をなして、複数描かれている。
なお、開口部４ａ及び４ｂの寸法としては、対向する長方形における一方の外側から、他方の外側までの距離を、リール２ａ、２ｂ及び２ｃの図柄の少なくとも３つ以上が視認できるように設定するのが好ましい。また、開口部で挟まれた導光板の面積ができるだけ大きくなるように、対向する長方形における一方の内側から、他方の内側までの距離をできるだけ長く設定することが好ましい。その他の寸法は、適宜設定すればよい。
【００２６】
上記導光板１の材質としては、光透過率に優れたものが好適であり、例えば、アクリル系樹脂、ポリカーボネート等が挙げられる。また、導光板１の断面形状としては、本発明の作用効果を奏するものであれば特に限定されず、楔状、板状等が挙げられる。更に、反射部３の形成方式としては、インジェクション（注入）方式や印刷方式等が挙げられる。インジェクション方式では、例えば、導光板を射出成形する際に、型に加工した反射ドットにより、導光板本体と反射ドットを一体的に成形する。一方、印刷方式では、例えば、反射材としてチタン白（ＴｉＯ２）や沈降性硫酸バリウム（ＢａＳＯ４）等の反射率の高い顔料とアクリル系バインダー等とを練り合わせて作製した反射インクをスクリーン印刷法によって導光板上に塗布する。本実施例においては、印刷方式を用いて反射材を塗布し、反射部３を形成した。そして、本実施例のリール２ａ、２ｂ及び２ｃは、短冊状の樹脂シートをバックライトの一組の開口部４ａ及び４ｂに順に挿入し、その後、円筒状に変形し、更に、両端を接続することによって形成した。これにより、リール２ａ、２ｂ及び２ｃがバックライト内に挿通された形態の表示装置を形成した。なお、リール２ａ、２ｂ及び２ｃの材質としては、透明、又は、半透明の樹脂等を用いることができる。
【００２７】
図２は、本実施例の表示装置の構成を示す断面模式図である。
図２に示すように、本実施例の表示装置は、表示側に配置された液晶パネル８、その背面に配置された光学シート９、導光板１、光源１０ａ、１０ｂ及び反射板１１ａ、１１ｂを備えた液晶パネル８と略同じ大きさのバックライト、液晶パネル及びバックライトの周辺に配置された第一ベゼル５、第二ベゼル６及び背面ベゼル７、並びに、導光板１に設けられた開口部４ａ及び４ｂに挿通されたリール２から構成される。バックライトは、表示側から光学シート９、導光板１がこの順に配置され、また導光板１の上方及び下方に光源１０ａ、１０ｂが配置され、更に反射板１１ａ、１１ｂが導光板１と反射板それ自身とで光源１０ａ、１０ｂを取り囲むようして配置されている、いわゆるサイドライト型バックライトである。
なお、液晶パネル８は、一対の基板間に液晶、スペーサ、シール材等の基本構成を有するが、一般の液晶表示装置に使用されるものと同様の構成であるので、図２においては説明を簡単にするために省略した。ここで、液晶パネルの液晶モードや液晶駆動方式としては、本発明の作用効果を奏するものであれば特に限定されず、液晶モードとしては、ＴＮ型、ＳＴＮ型及びＩＰＳ型等が挙げられる。また、液晶駆動方式としては、単純マトリクス駆動方式やアクティブマトリクス駆動方式等が挙げられる。
【００２８】
上記光学シート９は、正面方向の輝度を調整するためのものであり、拡散シート（図示せず）、プリズムシート（図示せず）等で構成される。また、導光板１の開口部４ａ及び４ｂ上の光学シートはくりぬかれており、リール２が導光板内を貫通できるようになっている。
上記光源１０ａ及び１０ｂとしては、線状光源が好ましく、例えば、熱陰極蛍光管、冷陰極蛍光管等が挙げられ、また、発光ダイオード（ＬＥＤ）、有機エレクトロルミネセンス（ＥＬ）素子、無機ＥＬ素子等の点状光源を複数列状に配置した形態であってもよい。
【００２９】
本実施例の表示装置においては、光源１０ａ及び１０ｂを発し導光板１の上下端面に入射した光は、導光板１内で全反射を繰り返しながら拡がり、反射部３によって進行方向を表示面側に変え、導光板１の前面から射出される。そして、射出された光は、液晶パネル照射用の光源として利用されるのみならず、バックライトの前面に突出したリール２をも照射する。したがって、本実施例では、リール照射用の光源を新たに設置することなく、リール２を明るく表示することができた。また、遊戯者とリール２の間から、遮蔽物となる導光板１、なかでも反射部３がなくなるため、リール２がより鮮明に見え、リールの視認性が改善された。更に、リール２がバックライト内を貫通するため、バックライトとリール２を別々に重ねて配置させた場合に比べて、よりコンパクトかつ省スペースな表示装置を作製することができた。
【００３０】
また、本発明の変形例として、実施例１における液晶パネルに導光板と同様の開口部を形成し、リールを液晶パネル及び導光板に挿通させ、リールを表示側最前面まで突出させた構造としてもよい。
【００３１】
（実施例２）
図３（ａ）は、実施例２の表示装置から第二ベゼル６の一部を取り除いて、バックライトの光源を露出させた状態における前面を示す斜視模式図であり、図３（ｂ）は、図３（ａ）に示す線分Ａ−Ａ´にて切断した状態における前面及び断面を示す斜視模式図である。
実施例２は、実施例１における光源１０ａ及び１０ｂの配置場所を上下方向から横方向、すなわちリール２ａ、２ｂ及び２ｃの円筒軸方向に変更した形態を有する。なお、その他の構成については、実施例１の構成と同じであるので、ここでは説明を省略する。これにより、導光板１及び反射部３をリール２ａ、２ｂ及び２ｃ自身で遮蔽されない方向から照射することができた。その結果、リール２ａ、２ｂ及び２ｃに覆われた部分の導光板１及び反射部３に効率良く光を入射させることができるので、リール２ａ、２ｂ及び２ｃをより効果的に明るく光らせることができた。
【００３２】
（実施例３）
図４は、実施例３の表示装置の前面を示す斜視模式図である。
実施例３は、実施例１におけるリール２ａ、２ｂ及び２ｃで覆われた導光板１上に蛍光ランプやＬＥＤ等の導光板上光源１２を配置した形態を有する。なお、その他の構成については、実施例１の構成と同じであるので、ここでは説明を省略する。このように、リール２ａ、２ｂ及び２ｃの後方に導光板上光源１２を設置することで、より鮮明にリール２ａ、２ｂ及び２ｃを光らせることができた。また、バックライトと異なるタイミングでリール２ａ、２ｂ及び２ｃを光らせることができるので、演出効果を向上させることができた。
【００３３】
（実施例４）
図５は、実施例４の表示装置の構成を示す断面模式図である。
実施例４は、実施例１におけるリール２ａ、２ｂ及び２ｃの内壁に突起１３を形成し、更に、リール内に歯車１４を備えた駆動装置（図示せず）を配置したものである。突起１３の形状及び大きさ等は、特に限定されるものではないが、リールの突起１３と歯車１４のピッチが揃うように設定するのが好ましい。また、駆動装置としては、モーター等を用いることができる。なお、その他の構成については、実施例１の構成と同じであるので、ここでは説明を省略する。このように、リールの突起１３と歯車１４を備えた駆動装置とを組み合わせることによって、リール２ａ、２ｂ及び２ｃ内に回転の障害物となるものを形成することなく、リール２ａ、２ｂ及び２ｃをバックライトに挿通させた状態で回転させることができた。
【００３４】
（比較例１）
図６（ａ）は、比較例１の表示装置の前面を示す斜視模式図であり、図６（ｂ）は背面を示す斜視模式図である。
本比較例の表示装置は、矩形状の導光板１、略同じ大きさである３つの円筒形のリール２ａ、２ｂ及び２ｃ、第一ベゼル５、並びに、リールの設置部に対応する部分がくりぬかれた背面ベゼル７を有する。本比較例においては、導光板１に開口部は形成されておらず、各リール２ａ、２ｂ及び２ｃはバックライトの背面の略中央部に並設されている。また、リールの視認性を確保するため、導光板１のリール設置部に対応する部分には、反射部３は形成されていない。
【００３５】
図７は、本比較例の表示装置の構成を示す断面模式図である。
図７に示すように、本比較例は、表示側に配置された液晶パネル８、その背面に配置された光学シート９、導光板１、光源１０ａ、１０ｂ及び反射板１１ａ，１１ｂを備えた液晶パネル８と略同じ大きさのバックライト、液晶パネル及びバックライトの周辺に配置された第一ベゼル５、第二ベゼル６及び背面ベゼル７、並びに、リール２から構成される。バックライトの構成は、実施例１の構成と同様であり、いわゆるサイドライト型バックライトである。しかし、本比較例では、リール２内に蛍光ランプやＬＥＤ等のリール内光源１５を設けている。
このように、本比較例においては、遊戯者は導光板越しにリールを視認しなければならないため、リール照射用光源を別途設置しなければ、リール２の視認性を充分に確保することができなかった。
【図面の簡単な説明】
【００３６】
【図１】（ａ）は、実施例１の表示装置の前面を示す斜視模式図であり、（ｂ）は、その背面を示す斜視模式図である。
【図２】実施例１の表示装置の構成を示す断面模式図である。
【図３】（ａ）は、実施例２の表示装置の前面を示す斜視模式図であり、（ｂ）は、前面及び断面を示す斜視模式図である。
【図４】実施例３の表示装置の前面を示す斜視模式図である。
【図５】実施例４の表示装置の構成を示す断面模式図である。
【図６】（ａ）は、比較例１の表示装置の前面を示す斜視模式図であり、（ｂ）は、その背面を示す斜視模式図である。
【図７】比較例１の表示装置の構成を示す断面模式図である。
【符号の説明】
【００３７】
１：導光板
２：リール
２ａ，２ｂ，２ｃ：リール
３：反射部
４ａ，４ｂ：開口部
５：第一ベゼル
６：第二ベゼル
７：背面ベゼル
８：液晶パネル
９：光学シート
１０ａ，１０ｂ，１０ｃ，１０ｄ：光源
１１ａ，１１ｂ：反射板
１２：導光板上光源
１３：突起
１４：歯車
１５：リール内光源
【図１】
2007054257.tif 000003
【図２】
2007054257.tif 000004
【図３】
2007054257.tif 000005
【図４】
2007054257.tif 000006
【図５】
2007054257.tif 000007
【図６】
2007054257.tif 000008
【図７】
2007054257.tif 000009